(57)【特許請求の範囲】
【請求項１】
クライアント端末に接続され、操作手段と、表示手段と、前記クライアント端末から送信される印刷ジョブ情報に基づいて記録媒体上に印刷を行う印刷手段と、を備えた画像形成装置であって、
前記クライアント端末から送信された印刷ジョブ情報に基づいて前記表示手段に印刷ジョブ情報を表示させ、前記表示手段に表示された前記印刷ジョブ情報の中から前記操作手段により印刷対象として選択された印刷ジョブを実行して前記印刷手段に印刷を行わせる印刷ジョブ管理手段と、
連続印刷を行うために印刷ジョブを連続印刷ジョブとして管理する連続印刷ジョブ管理手段と、を備え、
前記印刷ジョブ情報には、印刷時に使用する記録媒体の種類の情報と、印刷終了時の前記記録媒体に対する処理又は前記記録媒体の端部を検知したときの処理の少なくとも一つの情報と、が設定されており、
前記連続印刷ジョブ管理手段は、
前記表示手段に表示された印刷ジョブ情報の中から前記操作手段により連続印刷の対象として選択された印刷ジョブを連続印刷ジョブとして連続印刷ジョブリストに登録する連続印刷ジョブ登録機能を備え、前記連続印刷ジョブリストに印刷ジョブが登録されている場合、登録されている連続印刷ジョブ全てを前記印刷手段に印刷させるとともに、登録されている前記連続印刷ジョブと前記連続印刷ジョブの有する情報を前記表示手段に表示させ、
前記連続印刷ジョブ管理手段は、
前記連続印刷ジョブリストに登録され前記記録媒体の種類の情報が同じ複数の連続印刷ジョブの前記印刷終了時の記録媒体に対する処理又は前記記録媒体の端部を検知したときの処理の少なくとも一つの情報を一括して変更する記録媒体情報編集手段を備える画像形成装置。
【請求項２】
前記連続印刷ジョブ管理手段は、前記連続印刷ジョブリストに２以上の連続印刷ジョブが登録されている場合、２以上の連続印刷ジョブを操作者の指示入力に応じて優先度が高い順に並び替える並び替え手段を備える請求項１に記載の画像形成装置。
【請求項３】
前記連続印刷ジョブ管理手段は、前記連続印刷ジョブリストに２以上の連続印刷ジョブが登録されている場合、連続印刷ジョブに付与されている優先度に応じて前記２以上の連続印刷ジョブを優先度が高い順に自動的に並び替える自動並び替え手段を備える請求項１に記載の画像形成装置。
【請求項４】
前記連続印刷ジョブ管理手段は、連続印刷開始時に２種以上の記録媒体の連続印刷ジョブが前記連続印刷ジョブリストに登録されている場合、印刷を許可するか否か、又は警告を出すかを設定する連続印刷設定手段を備える請求項１〜３の何れか一項に記載の画像形成装置。
【請求項５】
前記連続印刷ジョブ管理手段は、前記操作手段により選択された連続印刷ジョブの印刷順序を１番とし、前記連続印刷ジョブと同じ記録媒体の種類の情報が設定されている他の連続印刷ジョブの印刷順序を前記印刷順序が１番の連続印刷ジョブに連続するように並び替える並び替え手段を備える請求項１に記載の画像形成装置。
【請求項６】
前記連続印刷ジョブ情報は、背景色についての情報を含み、
前記連続印刷ジョブ管理手段は、前記操作手段により選択された連続印刷ジョブの印刷ジョブ情報に含まれる背景色を変更する背景色変更手段を有する請求項１〜５の何れか一項に記載の画像形成装置。
【請求項７】
前記背景色変更手段は、前記操作手段により選択された連続印刷ジョブと同じ記録媒体の種類の情報が設定されている全ての連続印刷ジョブの背景色を一括して変更する請求項６に記載の画像形成装置。
【請求項８】
前記連続印刷ジョブ管理手段は、
前記連続印刷ジョブリストに複数の連続印刷ジョブが登録された場合、登録された複数の連続印刷ジョブの印刷順序を変更する手段、
前記連続印刷ジョブリストに登録された連続印刷ジョブに基づく印刷の完了後、１つ以上の連続印刷ジョブを削除するか否かを前記操作手段の操作により選択させる手段、
前記操作手段の操作に応じて最大印刷長を設定し、その最大印刷長に達するまで前記印刷手段に前記登録された連続印刷ジョブに基づく連続印刷を行わせる手段、
前記操作手段の操作に応じて印刷時間を設定し、その印刷時間に達するまで前記印刷手段に前記登録された連続印刷ジョブに基づく連続印刷を行わせる手段、
印刷に使用可能な記録媒体の残量が予め定められた設定値以下となった場合に警告を出力する手段、
の全てを含む請求項１に記載の画像形成装置。
【請求項９】
前記連続印刷ジョブ管理手段は、
前記操作手段により選択された連続印刷ジョブが前記印刷中でない場合に当該連続印刷ジョブの登録を削除する削除手段を備える請求項１〜８の何れか一項に記載の画像形成装置。
【請求項１０】
前記連続印刷ジョブ管理手段は、
前記印刷手段のステータスと記録媒体の使用状況とを通知するための通知条件及び通知先のメールアドレスを設定する通知条件設定手段と、
前記通知条件設定手段により設定された通知条件を満たしたときに前記設定されたメールアドレスにプリンタのステータス及び記録媒体の使用状況を通知するための電子メールを送信する通知手段と、
を備える請求項１〜９の何れか一項に記載の画像形成装置。
【請求項１１】
前記連続印刷ジョブ管理手段は、前記印刷ジョブ管理手段の制御により前記印刷手段が印刷を行っているときに、前記操作手段により前記連続印刷ジョブに基づく印刷の開始が指示された場合、前記印刷手段が印刷中の状態から印刷可能な状態に遷移したときに連続印刷を開始する請求項１〜１０の何れか一項に記載の画像形成装置。
【請求項１２】
前記連続印刷ジョブ管理手段は、
前記操作手段により指定された記録媒体の種類の情報が設定された連続印刷ジョブを他の連続印刷ジョブとは別個に登録するための新規の連続印刷ジョブリストを作成し、前記表示手段に表示された前記印刷ジョブ情報から前記操作手段により新たに選択された連続印刷対象の印刷ジョブに前記指定された記録媒体の種類の情報が設定されている場合、当該連続印刷対象の印刷ジョブを前記作成された新規の連続印刷ジョブリストに登録する新規連続印刷ジョブ登録手段と、
前記新規連続印刷ジョブ登録手段により作成された前記新規の連続印刷ジョブリストを削除する新規連続印刷ジョブ削除手段と、
を備える請求項１〜１１の何れか一項に記載の画像形成装置。
【請求項１３】
前記画像形成装置は、布帛を記録媒体として印刷を行う装置である請求項１〜１２の何れか一項に記載の画像形成装置。
【請求項１４】
前記連続印刷ジョブ管理手段は、前記印刷ジョブ管理手段の制御により前記印刷手段が印刷を行っているときに、前記操作手段により前記連続印刷ジョブに基づく印刷の開始が指示され、印刷中の印刷ジョブと前記連続印刷ジョブとで記録媒体の種類の情報が異なる場合に警告を出す請求項１〜１３の何れか一項に記載の画像形成装置。
【発明の詳細な説明】
【技術分野】
【０００１】
本発明は、画像形成装置に関する。
【背景技術】
【０００２】
従来、印刷を要求する複数のクライアントと、プリンタが接続されたサーバとを通信ネットワークで接続し、クライアントから要求のあった印刷データを印刷するネットワークプリンタが知られている。ネットワークプリンタでは、各クライアントの操作者が印刷を行う優先順位を設定し、サーバは、この優先順位に基づいてプリンタを制御して印刷を行っている（例えば、特許文献１参照）。
【先行技術文献】
【特許文献】
【０００３】
【特許文献１】特開平９−８１４９２号公報
【発明の概要】
【発明が解決しようとする課題】
【０００４】
ところで、インクジェット式画像形成システムの例として、複数の種類が異なる記録媒体に画像を形成するインクジェット式画像形成システムが知られている。
また近年では、布、織物等の繊維製品（以下、布帛という）に色相・柄の画像を形成するインクジェット式画像形成システムを用いた捺染システムも知られている。
【０００５】
このような捺染システムは、クライアント端末と画像形成装置とから構成される。一般に、クライアント端末を操作する操作者（デザイナー）と、画像形成装置を操作する操作者（オペレータ）とは別人である場合が多い。業務フローの例を概説すると、次の通りである。
【０００６】
デザイナーはクライアント端末を用いて印刷対象となる布帛を指定し、当該布帛に印刷する画像データ等の生成を行い、布帛情報や画像データ等を含む印刷ジョブ情報を生成する。生成された印刷ジョブ情報は、画像形成装置に送信される。
【０００７】
オペレータは、受信した印刷ジョブ情報に対応する布帛を巻いたロールを画像形成装置にセット（装着）し、必要な設定を行った後、印刷開始指示を行う。この操作により画像形成装置は与えられた印刷ジョブを実行する。  
【０００８】
即ち、捺染システムでは、印刷ジョブにより指定された種類の布帛を巻いたロールをジョブ実行時にセットする必要があるため、１つの印刷ジョブの終了後、オペレータは次の印刷ジョブで使用される布帛を確認し、必要があれば布帛を交換して次の印刷ジョブの実行を行っている。
【０００９】
しかし、印刷ジョブの中には同種の布帛に印刷する印刷ジョブが複数登録されているような場合もあり、そのような場合に実行中の印刷が終わる時間を見計らってオペレータが次の印刷ジョブの実行を指示するのは煩雑であり、複数の印刷ジョブをまとめて管理できなかったため、機械も一旦停止するため生産性も悪い。
また２種以上の布帛に対応する複数の印刷ジョブが複数登録されている場合、オペレータ側で作業状況や装置の稼働状況に併せて布帛単位でまとめて実行したり、優先順位を代えて実行するなど柔軟性に富んだシステムは提供されていない。
【００１０】
また生産性を向上させるには、印刷ジョブを連続印刷ジョブとして登録し、ジョブを一度キューに登録し、登録したジョブを続けて印刷する連続印刷が考えられる。しかし、登録後は連続印刷ジョブで登録された印刷ジョブの印刷順序の変更や連続印刷ジョブで印刷対象となる記録媒体を変更等をすることはできなかった。
特に記録媒体を厳密に指定しなければならない装置においては、登録した連続印刷ジョブが有する印刷対象等を変更するためには一度登録を解除しなければならず、連続印刷ジョブを連続して印刷するだけでは不便な場合があった。
【００１１】
本発明の課題は、連続印刷ジョブを通常のジョブとは別々に管理する機能を持たせることで、登録後に連続印刷ジョブの有する情報の変更を容易にし、オペレータの作業効率を向上させることにある。
【課題を解決するための手段】
【００１２】
上記の課題を解決するために、請求項１に記載の発明は、
クライアント端末に接続され、操作手段と、表示手段と、前記クライアント端末から送信される印刷ジョブ情報に基づいて記録媒体上に印刷を行う印刷手段と、を備えた画像形成装置であって、
前記クライアント端末から送信された印刷ジョブ情報に基づいて前記表示手段に印刷ジョブ情報を表示させ、前記表示手段に表示された前記印刷ジョブ情報の中から前記操作手段により印刷対象として選択された印刷ジョブを実行して前記印刷手段に印刷を行わせる印刷ジョブ管理手段と、
連続印刷を行うために印刷ジョブを連続印刷ジョブとして管理する連続印刷ジョブ管理手段と、を備え、
前記印刷ジョブ情報には、印刷時に使用する記録媒体の種類の情報と、印刷終了時の前記記録媒体に対する処理又は前記記録媒体の端部を検知したときの処理の少なくとも一つの情報と、が設定されており、
前記連続印刷ジョブ管理手段は、
前記表示手段に表示された印刷ジョブ情報の中から前記操作手段により連続印刷の対象として選択された印刷ジョブを連続印刷ジョブとして連続印刷ジョブリストに登録する連続印刷ジョブ登録機能を備え、前記連続印刷ジョブリストに印刷ジョブが登録されている場合、登録されている連続印刷ジョブ全てを前記印刷手段に印刷させるとともに、登録されている前記連続印刷ジョブと前記連続印刷ジョブの有する情報を前記表示手段に表示させ、
前記連続印刷ジョブ管理手段は、
前記連続印刷ジョブリストに登録され前記記録媒体の種類の情報が同じ複数の連続印刷ジョブの前記印刷終了時の記録媒体に対する処理又は前記記録媒体の端部を検知したときの処理の少なくとも一つの情報を一括して変更する記録媒体情報編集手段を備える画像形成装置である。
【００１３】
請求項２に記載の発明は、請求項１に記載の発明において、
前記連続印刷ジョブ管理手段は、前記連続印刷ジョブリストに２以上の連続印刷ジョブが登録されている場合、２以上の連続印刷ジョブを操作者の指示入力に応じて優先度が高い順に並び替える並び替え手段を備える。
【００１４】
請求項３に記載の発明は、請求項１に記載の発明において、
前記連続印刷ジョブ管理手段は、前記連続印刷ジョブリストに２以上の連続印刷ジョブが登録されている場合、連続印刷ジョブに付与されている優先度に応じて前記２以上の連続印刷ジョブを優先度が高い順に自動的に並び替える自動並び替え手段を備える。
【００１５】
請求項４に記載の発明は、請求項１〜３の何れか一項に記載の発明において、
前記連続印刷ジョブ管理手段は、連続印刷開始時に２種以上の記録媒体の連続印刷ジョブが前記連続印刷ジョブリストに登録されている場合、印刷を許可するか否か、又は警告を出すかを設定する連続印刷設定手段を備える。
【００１６】
請求項５に記載の発明は、請求項２〜４の何れか一項に記載の発明において、
前記連続印刷ジョブ管理手段は、前記操作手段により選択された連続印刷ジョブの印刷順序を１番とし、前記連続印刷ジョブと同じ記録媒体の種類の情報が設定されている他の連続印刷ジョブの印刷順序を前記印刷順序が１番の連続印刷ジョブに連続するように並び替える並び替え手段を備える。
【００１７】
請求項６に記載の発明は、請求項２〜５の何れか一項に記載の発明において、
前記連続印刷ジョブ情報は、背景色についての情報を含み、
前記連続印刷ジョブ管理手段は、前記操作手段により選択された連続印刷ジョブの印刷ジョブ情報に含まれる背景色を変更する背景色変更手段を有する。
【００１８】
請求項７に記載の発明は、請求項６に記載の発明において、
前記背景色変更手段は、前記操作手段により選択された連続印刷ジョブと同じ記録媒体の種類の情報が設定されている全ての連続印刷ジョブの背景色を一括して変更する。
【００１９】
請求項８に記載の発明は、請求項１に記載の発明において、
前記連続印刷ジョブ管理手段は、
前記連続印刷ジョブリストに複数の連続印刷ジョブが登録された場合、登録された複数の連続印刷ジョブの印刷順序を変更する手段、
前記連続印刷ジョブリストに登録された連続印刷ジョブに基づく印刷の完了後、１つ以上の連続印刷ジョブを削除するか否かを前記操作手段の操作により選択させる手段、
前記操作手段の操作に応じて最大印刷長を設定し、その最大印刷長に達するまで前記印刷手段に前記登録された連続印刷ジョブに基づく連続印刷を行わせる手段、
前記操作手段の操作に応じて印刷時間を設定し、その印刷時間に達するまで前記印刷手段に前記登録された連続印刷ジョブに基づく連続印刷を行わせる手段、
印刷に使用可能な記録媒体の残量が予め定められた設定値以下となった場合に警告を出力する手段、
の全てを含む。
【００２０】
請求項９に記載の発明は、請求項１〜８の何れか一項に記載の発明において、
前記連続印刷ジョブ管理手段は、
前記操作手段により選択された連続印刷ジョブが前記印刷中でない場合に当該連続印刷ジョブの登録を削除する削除手段を備える。
【００２１】
請求項１０に記載の発明は、請求項１〜９のいずれか一項に記載の発明において、
前記連続印刷ジョブ管理手段は、
前記印刷手段のステータスと記録媒体の使用状況とを通知するための通知条件及び通知先のメールアドレスを設定する通知条件設定手段と、
前記通知条件設定手段により設定された通知条件を満たしたときに前記設定されたメールアドレスにプリンタのステータス及び記録媒体の使用状況を通知するための電子メールを送信する通知手段と、
を備える。
【００２２】
請求項１１に記載の発明は、請求項１〜１０のいずれか一項に記載の発明において、  前記連続印刷ジョブ管理手段は、前記印刷ジョブ管理手段の制御により前記印刷手段が印刷を行っているときに、前記操作手段により前記印刷ジョブに基づく印刷の開始が指示された場合、前記印刷手段が印刷中の状態から印刷可能な状態に遷移したときに連続印刷を開始する。
【００２３】
請求項１２に記載の発明は、請求項１〜１１の何れか一項に記載の発明において、
前記連続印刷ジョブ管理手段は、
前記操作手段により指定された記録媒体の種類の情報が設定された連続印刷ジョブを他の連続印刷ジョブとは別個に登録するための新規の連続印刷ジョブリストを作成し、前記表示手段に表示された前記印刷ジョブ情報から前記操作手段により新たに選択された連続印刷対象の印刷ジョブに前記指定された記録媒体の種類の情報が設定されている場合、当該連続印刷対象の印刷ジョブを前記作成された新規の連続印刷ジョブリストに登録する新規連続印刷ジョブ登録手段と、
前記新規連続印刷ジョブ登録手段により作成された前記新規の連続印刷ジョブリストを削除する新規連続印刷ジョブ削除手段と、
を備える。
【００２４】
請求項１３に記載の発明は、請求項１〜１２の何れか一項に記載の発明において、
前記画像形成装置は、布帛を記録媒体として印刷を行う装置である。
【００２５】
請求項１３に記載の発明は、請求項１〜１３の何れか一項に記載の発明において、
前記連続印刷ジョブ管理手段は、前記印刷ジョブ管理手段の制御により前記印刷手段が印刷を行っているときに、前記操作手段により前記連続印刷ジョブに基づく印刷の開始が指示され、印刷中の印刷ジョブと前記連続印刷ジョブとで記録媒体の種類の情報が異なる場合に警告を出す。
【発明の効果】
【００２６】
本発明によれば、連続印刷における印刷順序の変更や、連続印刷ではないが登録後に記録媒体の変更を行う可能性が高い印刷ジョブを連続印刷ジョブとして登録し、通常のジョブとを別々に管理することで、登録後に連続印刷ジョブの有する情報の変更を容易にし、オペレータの作業効率を向上させることができる。
【図面の簡単な説明】
【００２７】
【図１】本実施の形態における画像形成システムの概略構成を示す図である。
【図２】印刷ジョブ情報のデータ構成図である。
【図３】印刷条件情報のデータ構成図である。
【図４】クライアント端末の機能的構成を示すブロック図である。
【図５】画像形成装置の斜視図である。
【図６】搬送ベルト周辺の詳細図である。
【図７】画像形成装置の機能的構成を示すブロック図である。
【図８Ａ】サーバ装置の制御部により実行される印刷ジョブ管理処理を示すフローチャートである。
【図８Ｂ】サーバ装置の制御部により実行される印刷ジョブ管理処理を示すフローチャートである。
【図９】印刷ジョブ管理画面の一例を示す図である。
【図１０Ａ】サーバ装置の制御部により実行される連続印刷ジョブ管理処理を示すフローチャートである。
【図１０Ｂ】サーバ装置の制御部により実行される連続印刷ジョブ管理処理を示すフローチャートである。
【図１１】連続印刷ジョブ管理画面の一例を示す図である。
【図１２】キュー設定画面の一例を示す図である。
【図１３】２種以上の布帛が存在するときの警告画面の一例を示す図である。
【図１４】通知設定画面の一例を示す図である。
【図１５】新規キュー作成画面の一例を示す図である。
【図１６】新規連続印刷ジョブ管理画面の一例を示す図である。
【図１７】サーバ装置の制御部により実行される背景色変更処理を示すフローチャートである。
【図１８】背景色変更画面の一例を示す図である。
【図１９】サーバ装置の制御部により実行される並び替えボタン群制御処理を示すフローチャートである。
【図２０】サーバ装置の制御部により実行される自動並び替え処理を示すフローチャートである。
【図２１】布帛編集画面の一例を示す図である。
【図２２】布帛名変更画面の一例を示す図である。
【図２３】サーバ装置の制御部により実行される連続印刷処理を示すフローチャートである。
【図２４】印刷中表示が表示された連続印刷ジョブ管理画面の一例を示す図である。
【発明を実施するための形態】
【００２８】
以下、図面を参照して本発明の一実施形態について説明する。
【００２９】
[画像形成システムのシステム構成]
図１に、画像形成システム１００のシステム構成を示す。画像形成システム１００は、布帛に色相・柄等の画像を形成する捺染システムであり、布帛への印刷業務を行う工場等に設置される。
【００３０】
図１に示すように、画像形成システム１００は、クライアント端末１０、クライアント端末２０、画像形成装置３０を備えて構成されている。各装置はイーサネット（登録商標）（Ethernet（登録商標）)等の通信ネットワークＮＴを介してデータ通信可能に接続されている。なお、クライアント端末１０、２０及び画像形成装置３０の台数は、特に限定されない。
【００３１】
また、画像形成装置３０は、サーバ装置４０とプリンタ装置５０とから構成されている。サーバ装置４０とプリンタ装置５０とは、ＵＳＢ（Universal Serial Bus）等のバスやＬＶＤＳ（Low voltage differential signaling）等の電気信号システムを介してデータ通信可能に接続されている。また、サーバ装置４０は、通信ネットワークＮＴを介して、外部機器（クライアント端末１０、クライアント端末２０）等とデータ通信可能に接続されている。
【００３２】
クライアント端末１０は、画像形成装置３０のクライアントである。クライアント端末１０として、ＲＩＰ（Raster Image Processor）プログラムがインストールされたコンピュータが適用可能である。クライアント端末１０は、ユーザであるデザイナーの操作に従って印刷ジョブ情報を生成し、当該印刷ジョブ情報をサーバ装置４０に送信する。即ち、クライアント端末１０のユーザであるデザイナーは、画像形成装置３０に印刷させたい画像、印刷対象となる記録媒体（ここでは、布帛）の名称を画面上で選択する。そして、デザイナーは、クライアント端末１０に印刷ジョブ情報を生成させ、当該印刷ジョブ情報をサーバ装置４０に送信させる。
【００３３】
図２に、印刷ジョブ情報のデータ構成例を示す。図２に示すように、印刷ジョブ情報は、印刷条件情報と画像データとから構成される。画像データとは、当該印刷ジョブ情報に基づいて実行される印刷ジョブにおいて、布帛に形成する画像のデータである。
【００３４】
図３に、印刷条件情報のデータ構成図を示す。図３に示すように、印刷条件情報は、印刷解像度、印刷長、印刷幅、布帛名等の情報から構成される。ここで、布帛名は、デザイナーにより印刷対象として指定された布帛の種類の名称を示す情報である。布帛名により印刷ジョブ情報は布帛情報と対応付けられている。布帛情報は、例えば、その布帛が使用されたときのプリンタ装置５０の動作の設定情報を含む。
【００３５】
図１に戻り、クライアント端末２０は、クライアント端末１０と同様の構成となっており、その説明を省略する。
【００３６】
画像形成装置３０は、印刷ジョブ情報に基づいて、布帛に画像を形成する（印刷する）装置である。前述のように、画像形成装置３０は、サーバ装置４０とプリンタ装置５０とから構成されている。
【００３７】
印刷手段としてのプリンタ装置５０は、シリアルヘッド方式のインクジェットプリンタである。プリンタ装置５０には、印刷対象（画像形成対象）となる布帛が装着される。
【００３８】
サーバ装置４０は、クライアント端末１０、２０等の外部機器から印刷ジョブ情報を受信し、当該印刷ジョブ情報を解析する。そして、プリンタ装置５０に印刷制御の指示信号を送信する。プリンタ装置５０は布帛に画像を形成する。
【００３９】
画像形成装置３０のユーザであるオペレータは、サーバ装置４０の画面に表示された印刷ジョブ情報の一覧を参照し、プリンタ装置５０に印刷対象となる布帛を装着する。そして、オペレータは、サーバ装置４０において印刷対象の印刷ジョブを選択し、サーバ装置４０に、印刷制御の指示信号をプリンタ装置５０に送信させる。そして、プリンタ装置５０は、布帛に画像を印刷する。
ここで、画像形成装置３０においては、詳細を後述するが、印刷対象の印刷ジョブを個別に選択して１ジョブごとに印刷を行う他、印刷対象の印刷ジョブ情報を複数選択して、選択された複数の印刷ジョブに基づいて連続印刷を行うことが可能である。連続印刷対象として選択された個々の印刷ジョブを連続印刷ジョブと呼ぶ。
【００４０】
[クライアント装置の機能的構成]
図４に、クライアント端末１０の機能的構成を示す。
【００４１】
図４に示すように、クライアント端末１０は、制御部１１、操作部１２、表示部１３、通信部１４、記憶部１５を備えて構成され、各部はバス１６により接続されている。
【００４２】
制御部１１は、ＣＰＵ（Central Processing Unit）、ＲＡＭ（Random Access Memory
）等から構成され、クライアント端末１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００４３】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００４４】
表示部１３は、ＬＣＤ（Liquid Crystal Display）により構成され、制御部１１から入力される表示データに基づいて各種画面を表示する。
【００４５】
通信部１４は、ＬＡＮ（Local Area Network）アダプタ、ルータ、ＴＡ（Terminal Adapter）等を備え、通信ネットワークＮＴを介して接続されたサーバ装置４０等の外部機器との間でデータの送受信を行う。
【００４６】
記憶部１５は、ハードディスク等から構成され、制御プログラム、当該プログラムの実行に必要なパラメータやファイル等を記憶している。また、記憶部１５は、ＲＩＰプログラム１５１を記憶する。
【００４７】
制御部１１は、記憶部１５に記憶されたＲＩＰプログラム１５１と協働して、操作部１２により指定された画像データ、布帛名等に基づいて印刷ジョブ情報を生成する。そして、制御部１１は、ＲＩＰプログラム１５１と協働して、印刷ジョブ情報をサーバ装置４０に送信する。
【００４８】
[画像形成装置の概略構成]
次に、図５を用いて画像形成装置３０の概略構成について説明する。図５に示すように、画像形成装置３０は、サーバ装置４０及びプリンタ装置５０により構成されている。プリンタ装置５０は、輸送ユニット３１、スキャンユニット３２、インクラック３３と、を備えて構成されている。
【００４９】
輸送ユニット３１の上部には、記憶媒体である布帛（図示せず）を裏面側から支持しながら図中矢印Ｙで示される副走査方向Ｙに搬送するための無端状の搬送ベルト３１１が配設されている。なお、本実施の形態では、輸送ユニット３１とスキャンユニット３２とは別体として形成されているが、一体的に形成することも可能である。
【００５０】
輸送ユニット３１の搬送ベルト３１１上方のスキャンユニット３２の内部部分には、棒状のキャリッジレール３２１が副走査方向Ｙに直交し図中矢印Ｘで示される主走査方向Ｘに延在するように配設されており、キャリッジレール３２１には、略筐体状のキャリッジ３２２がキャリッジレール３２１に沿って主走査方向Ｘに往復移動自在に支持されている。
【００５１】
図示を省略するが、キャリッジ３２２には、イエロー（Ｙ）、マゼンタ（Ｍ）、シアン（Ｃ）、ブラック（Ｋ）等の各色のインクを吐出する複数の記録ヘッドが搭載されており、各記録ヘッドのノズルから搬送ベルト３１１上の記録媒体に対して各色のインクが吐出されるようになっている。
【００５２】
本実施の形態では、スキャンユニット３２の背後に、各記録ヘッドにそれぞれ供給する各色のインクを貯蔵するインクタンク３３１を備えるインクラック３３が配置されている。各インクタンク３３１からは、図示しない供給管を介して各記録ヘッドにインクがそれぞれ供給されるようになっている。
【００５３】
図６に、プリンタ装置５０における布帛への印刷の仕組みを模式的に示す。図６に示すように、搬送ベルト３１１の搬送方向手前側に布帛を巻いたロールＭｄが装着されると、ロールＭｄから布帛Ｍが搬送ベルト３１１により搬送される。搬送された布帛Ｍが搬送ベルト３１１上方のスキャンユニット３２のキャリッジ３２２の下を通過する際に、キャリッジ３２２の記録ヘッドから布帛Ｍに対してインクが吐出されることにより、布帛Ｍ上に画像が形成される。
【００５４】
[画像形成装置の機能的構成]
図７に、画像形成装置３０の機能的構成を示す。
サーバ装置４０は、制御部４１、操作部４２、表示部４３、通信部４４、記憶部４５、ＵＳＢデバイス４６、ＰＣＩデバイス４７を備えて構成され、各部はバス４８により接続されている。
【００５５】
制御部４１は、ＣＰＵ、ＲＡＭ等から構成され、サーバ装置４０の各部の処理動作を統括的に制御する。具体的には、ＣＰＵは、操作部４２から入力される操作信号又は通信部４４により受信される指示信号に応じて、記憶部４５に記憶されている制御プログラム４５１を読み出し、ＲＡＭ内に形成されたワークエリアに展開し、当該プログラムとの協働により各種処理を行う。
例えば、制御部４１は、制御プログラム４５１との協働により後述する印刷ジョブ管理処理を実行することで、印刷ジョブ管理手段として機能する。また、制御部４１は、制御プログラム４５１との協働により後述する連続印刷ジョブ管理処理を実行することで、連続印刷ジョブ管理手段として機能する。
【００５６】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００５７】
表示部４３は、ＬＣＤ等により構成され、制御部４１から入力される表示データに基づいて各種画面を表示する。
【００５８】
通信部４４は、ＬＡＮアダプタ、ルータ、ＴＡ等を備え、通信ネットワークＮＴを介して接続されたクライアント端末１０、２０等の外部機器との間でデータの送受信を行う。
【００５９】
記憶部４５は、ハードディスク等から構成され、制御プログラム４５１、メールサーバプログラム、当該プログラムの実行に必要なパラメータやファイル等を記憶している。制御プログラム４５１には、後述する印刷ジョブ管理処理を実行するための印刷ジョブ管理処理プログラム、連続印刷ジョブ管理処理を実行するための連続印刷ジョブ管理処理プログラム、およびこれらのプログラムで呼び出されるサブルーチンのプログラム等が含まれる。また、記憶部４５は、印刷ジョブリストＦ１、連続印刷ジョブリストＦ２、キュー設定ファイルＦ３、布帛情報ファイルＦ４、通知設定ファイルＦ５、布帛管理リストＦ６、等を記憶する。
【００６０】
印刷ジョブリストＦ１は、クライアント端末１０、２０から送信された印刷ジョブ情報を格納し管理するためのファイルである。印刷ジョブリストＦ１は、例えば、「ジョブ名」、「状態」、「作成日時」、「更新日時」、「印刷幅」、「印刷長」、「布帛名」、「主走査解像度」、「副走査解像度」、「印刷方向」、「印刷モード」、「背景色」、「クライアント名」、「ユーザ名」等の項目を有する。クライアント端末１０、２０から印刷ジョブ情報が受信されると、制御部４１により印刷ジョブリストＦ１にレコードが追加され、受信された印刷ジョブ情報が記憶される。
【００６１】
連続印刷ジョブリスト（印刷キュー）Ｆ２は、操作部４２により連続印刷対象として登録指示された印刷ジョブの情報を格納し管理するためのファイルである。連続印刷ジョブリストＦ２は、例えば、「優先度」、「ジョブ名」、「布帛名」、「メモ」、後述する布帛情報の各項目等の項目を有する。操作部４２により後述する印刷ジョブ管理画面４３１（図９参照）から連続印刷ジョブとして登録する印刷ジョブが選択され、登録が指示されると、優先度が付与され、連続印刷ジョブリストＦ２にレコードが追加され、登録指示された印刷ジョブの予め定められた項目の情報等が記憶される。優先度は、当初は登録順を示す登録番号が付与されるが、変更は可能である。印刷時には、優先度の高いものから順に印刷が実行される。ここで、連続印刷ジョブリストＦ２に連続印刷対象の印刷ジョブを登録することを印刷キューに登録するという。なお、オペレータは新規に連続印刷ジョブリストを作成して布帛名別の連続印刷ジョブリスト（新規連続印刷ジョブリストＦ２１とする）を設けることができる。新規連続印刷ジョブリストＦ２１は、複数作成することができる。
なおここでは「連続印刷ジョブリスト」に登録された印刷ジョブは連続印刷を対象とする複数の印刷ジョブで説明しているが、本発明でいう「連続印刷ジョブリスト」に登録された印刷ジョブは必ずしも複数のものに限定されず、通常のジョブとは別個管理可能に登録されるものであるから、単一の印刷ジョブであっても良い。
【００６２】
キュー設定ファイルＦ３は、後述するキュー設定画面４３３（図１２参照）から設定されたキュー設定情報を格納するためのファイルである。
布帛情報ファイルＦ４は、布帛の種類毎に、記録媒体情報としての布帛情報、例えば、布帛名や、その布帛が使用されたときのプリンタ装置５０の動作（処理）の設定情報を格納するためのファイルである。プリンタ装置５０の動作の設定情報としては、例えば、１つの連続印刷ジョブ終了時の布帛に対する処理（印刷終了処理）、布帛の端部を検知したときの処理（後端検知時処理）、布帛の継ぎ目を検知したときの処理（繋ぎ目検知処理）等が含まれる。
通知設定ファイルＦ５は、後述する通知設定画面４３４（図１４参照）から設定された通知設定情報を格納するためのファイルである。
布帛管理リストＦ６は、新規連続印刷ジョブリストＦ２１を作成可能な布帛名のリスト情報を格納するファイルである。
【００６３】
図７に戻り、ＵＳＢデバイス４６は、外部機器と、ＵＳＢ規格に則ってデータ通信を行うための装置である。ＵＳＢデバイス４６は、プリンタ装置５０と接続されている。
【００６４】
ＰＣＩデバイス４７は、外部機器とＬＶＤＳのような電気信号システムでデータ通信を行うための装置である。ＰＣＩデバイス４７は、プリンタ装置５０と接続されている。
【００６５】
[布帛装着時における、サーバ装置の動作]
次に、サーバ装置４０における印刷動作について説明する。
サーバ装置４０においては、印刷ジョブ管理処理又は連続印刷ジョブ管理処理を実行することで、印刷動作が行われる。
ここで、画像形成装置３０のように記録媒体をロール状の布帛としたプリンタにおいては、実行する印刷ジョブに応じた布帛をセットして印刷を行う必要がある。そのため、従来、ロール状の布帛を記録媒体とするプリンタでは、以下に説明する印刷ジョブ管理処理における印刷ジョブ管理画面４３１からの印刷実行のように、印刷の都度オペレータが次に実行する印刷ジョブを選択し、その選択に応じて印刷ジョブを実行するように構成されている。
しかし、同種の布帛に印刷する印刷ジョブが複数登録されているような場合には、実行中の印刷が終わる時間を見計らってオペレータが次の印刷ジョブの実行を指示するのは煩雑であり、機械も一旦停止するため生産性も悪い。また２種以上の布帛に対応する複数の印刷ジョブが複数登録されている場合、オペレータ側で作業状況や装置の稼働状況に併せて布帛単位でまとめて実行したり、優先順位を代えて実行したりすることができず不便である。
【００６６】
そこで、サーバ装置４０においては、連続印刷ジョブとしての登録を可能とするとともに、別途連続印刷ジョブ管理手段を備え、連続印刷用に登録した連続印刷ジョブを通常のジョブとは別々に管理することで、登録された連続印刷ジョブの有する情報の変更を容易にし、オペレータが効率良く作業することを可能としている。
【００６７】
図８Ａ〜図８Ｂに、印刷ジョブ管理処理のフローチャートを示す。印刷ジョブ管理処理は、制御部４１と記憶部４５に記憶されている印刷ジョブ管理処理プログラムとの協働により実行される。
【００６８】
オペレータによりプリンタ装置５０の所定の装着位置に印刷対象の布帛のロールＭｄが装着され、操作部４２により印刷ジョブ管理画面４３１の表示が指示されると、記憶部４５に記憶されている印刷ジョブリストＦ１が読み出され、表示部４３に印刷ジョブ管理画面４３１が表示される（ステップＳ１）。
【００６９】
図９に、印刷ジョブ管理画面４３１の一例を示す。
図９に示すように、印刷ジョブ管理画面４３１には、ジョブ一覧表示欄４３１ａ、印刷ジョブ情報詳細表示欄４３１ｂ、キュー登録ボタン４３１ｃ、印刷ボタン４３１ｄ、削除ボタン４３１ｅ等が設けられている。
ジョブ一覧表示欄４３１ａは、印刷ジョブリストＦ１に記憶されている印刷ジョブ情報を一覧表示する欄である。ジョブ一覧表示欄４３１ａ上から操作部４２により印刷ジョブ情報を選択することで、処理対象となる印刷ジョブを選択することができる。印刷ジョブ情報詳細表示欄４３１ｂは、ジョブ一覧表示欄４３１ａで選択された印刷ジョブの詳細情報を表示する欄である。キュー登録ボタン４３１ｃは、ジョブ一覧表示欄４３１ａで選択された印刷ジョブの印刷キューへの登録、即ち、連続印刷ジョブとしての登録を指示するためのボタンである。印刷ボタン４３１ｄは、ジョブ一覧表示欄４３１ａで選択された印刷ジョブの実行を指示するためのボタンである。削除ボタン４３１ｅは、ジョブ一覧表示欄４３１ａで選択されている印刷ジョブを印刷ジョブリストＦ１から削除することを指示するためのボタンである。
【００７０】
操作部４２によりジョブ一覧表示欄４３１ａから印刷ジョブが選択されると（ステップＳ２；ＹＥＳ）、キュー登録ボタン４３１ｃが押下されたか否かが判断される（ステップＳ３）。操作部４２によりキュー登録ボタン４３１ｃが押下されていないと判断されると（ステップＳ３；ＮＯ）、処理はステップＳ９に移行する。操作部４２によりキュー登録ボタン４３１ｃが押下されたと判断されると（ステップＳ３；ＹＥＳ）、処理はステップＳ４に移行する。
【００７１】
ステップＳ４においては、記憶部４５に新規キューが存在するか否か、即ち、新規連続印刷ジョブリストＦ２１が記憶されているか否かが判断される。
記憶部４５に新規連続印刷ジョブリストＦ２１が記憶されていると判断されると（ステップＳ４；ＹＥＳ）、選択された印刷ジョブの布帛名が何れかの新規連続印刷ジョブリストＦ２１の布帛名と一致するか否かが判断される（ステップＳ５）。選択された印刷ジョブの布帛名が何れかの新規連続印刷ジョブリストＦ２１の布帛名と一致すると判断されると（ステップＳ５；ＹＥＳ）、布帛名が一致する新規連続印刷ジョブリストＦ２１に選択された印刷ジョブが登録され（ステップＳ６）、処理はステップＳ８に移行する。
【００７２】
一方、記憶部４５に新規連続印刷ジョブリストＦ２１が存在していないと判断された場合（ステップＳ４；ＮＯ）、または、選択された印刷ジョブの布帛名が何れの新規連続印刷ジョブリストＦ２１の布帛名とも一致しないと判断された場合（ステップＳ５；ＮＯ）、選択された印刷ジョブが連続印刷ジョブリストＦ２に登録され（ステップＳ７）、処理はステップＳ８に移行する。
ここで、連続印刷ジョブリストＦ２、新規連続印刷ジョブリストＦ２１に印刷ジョブが登録される際、登録順番を示す優先度が付与されるが、これは、リスト毎の登録順番を示すものである。また、印刷ジョブが連続印刷ジョブリストＦ２に登録される際、印刷ジョブの「布帛名」により特定されている布帛情報のデータが布帛情報ファイルＦ４から読み出され、併せて登録される。
【００７３】
ステップＳ８においては、印刷ジョブ管理画面４３１の連続印刷ジョブとして登録された印刷ジョブの「Ｑ」列に、連続印刷ジョブとして登録済みであることを示す＊マークが表示され（ステップＳ８）、処理はステップＳ９に移行する。
【００７４】
ステップＳ９においては、選択されている印刷ジョブが実行中（印刷中）であるか否かが判断される（ステップＳ９）。選択されている印刷ジョブが実行中であると判断されると（ステップＳ９；ＹＥＳ）、処理は図８ＢのステップＳ１９に移行する。即ち、選択されている印刷ジョブが実行中の場合、削除ボタン４３１ｅ、印刷ボタン４３１ｄは無効状態となる。
【００７５】
一方、選択されている印刷ジョブが実行中ではないと判断されると（ステップＳ９；ＮＯ）、操作部４２により削除ボタン４３１ｅが押下されたか否かが判断される。操作部４２により削除ボタン４３１ｅが押下されていないと判断されると（ステップＳ１０；ＮＯ）、処理はステップＳ１２に移行する。操作部４２により削除ボタン４３１ｅが押下されたと判断されると（ステップＳ１０；ＹＥＳ）、当該印刷ジョブが印刷ジョブリストＦ１及び連続印刷ジョブリストＦ２から削除され（ステップＳ１１）、処理は図８ＢのステップＳ１９に移行する。
【００７６】
ステップＳ１２においては、操作部４２により印刷ボタン４３１ｄが押下されたか否かが判断される。操作部４２により印刷ボタン４３１ｄが押下されていないと判断されると（ステップＳ１２；ＮＯ）、処理はステップＳ１９に移行する。
操作部４２により印刷ボタン４３１ｄが押下されたと判断されると（ステップＳ１２；ＹＥＳ）、変数ｉが０に初期化され（ステップＳ１３）、プリンタ装置５０が印刷可能な状態であるか否かが判断される（ステップＳ１４）。例えば、プリンタ装置５０が印刷待ち状態である場合は、プリンタ装置５０が印刷可能な状態であると判断される。
【００７７】
プリンタ装置５０が印刷可能な状態であると判断されると（ステップＳ１４；ＹＥＳ）、印刷ジョブに基づいてプリンタ装置５０が制御され、印刷ジョブが実行される（ステップＳ１５）。プリンタ装置５０における印刷ジョブが完了すると、処理はステップＳ１９に移行する。
【００７８】
プリンタ装置５０が印刷可能な状態ではないと判断されると（ステップＳ１４；ＮＯ）、変数ｉ＞５であるか否かが判断される（ステップＳ１６）。変数ｉ＞５ではないと判断されると（ステップＳ１６；ＮＯ）、所定時間待機され（ステップＳ１７）、変数ｉが１インクリメントされ（ステップＳ１８）、処理はステップＳ１４に戻る。変数ｉ＞５であると判断されると（ステップＳ１６；ＹＥＳ）、処理はステップＳ１９に移行する。
【００７９】
ステップＳ１９においては、操作部４２により印刷ジョブ管理画面４３１を他の画面への移行の指示が入力されたか否かが判断される（ステップＳ１９）。操作部４２により他の画面への移行の指示が入力されていないと判断されると（ステップＳ１９；ＮＯ）、処理はステップＳ２に戻る。操作部４２により他の画面への移行の指示が入力されたと判断されると（ステップＳ１９；ＹＥＳ）、印刷ジョブ管理処理は終了する。
【００８０】
次に、連続印刷ジョブ管理処理について説明する。
図１０Ａ〜図１０Ｂに、連続印刷ジョブ管理処理のフローチャートを示す。連続印刷ジョブ管理処理は、制御部４１と記憶部４５に記憶されている連続印刷ジョブ管理処理プログラムとの協働により実行される。
【００８１】
操作部４２により連続印刷ジョブ管理画面４３２の表示が指示されると、記憶部４５に記憶されている連続印刷ジョブ情報ファイルＦ２が読み出され、表示部４３に連続印刷ジョブ管理画面４３２が表示される（ステップＳ２１）。
【００８２】
図１１に、連続印刷ジョブ管理画面４３２の一例を示す。図１１に示すように、連続印刷ジョブ管理画面４３２には、連続印刷ジョブ表示欄４３２ａ、先頭へボタン４３２ｂ、アップボタン４３２ｃ、ダウンボタン４３２ｄ、最後尾へボタン４３２ｅ、並び替えボタン４３２ｆ、編集ボタン４３２ｇ、背景色ボタン４３２ｈ、キュー設定ボタン４３２ｉ、開始ボタン４３２ｊ、解除ボタン４３２ｋ、新規キュー作成ボタン４３２ｌ等が設けられている。
【００８３】
連続印刷ジョブ表示欄４３２ａは、連続印刷ジョブリストＦ２に登録されている連続印刷ジョブを一覧（リスト）表示する欄である。
【００８４】
先頭へボタン４３２ｂ〜並び替えボタン４３２ｆは、連続印刷ジョブの優先度、即ち、印刷順序を並び替えるためのボタンである。
先頭へボタン４３２ｂは、連続印刷ジョブ表示欄４３２ａにおいて選択された連続印刷ジョブをリストの先頭に並び替える（優先度を１にする）指示を入力するためのボタンである。アップボタン４３２ｃは、連続印刷ジョブ表示欄４３２ａにおいて選択された連続印刷ジョブをリストの一つ上に並び替える（優先度を１上げる）指示を入力するためのボタンである。ダウンボタン４３２ｄは、連続印刷ジョブ表示欄４３２ａにおいて選択された連続印刷ジョブをリストの一つ下に並び替える（優先度を１下げる）指示を入力するためのボタンである。最後尾へボタン４３２ｅは、連続印刷ジョブ表示欄４３２ａにおいて選択された連続印刷ジョブをリストの最後尾に並び替える（優先度を最下位にする）指示を入力するためのボタンである。並び替えボタン４３２ｆは、連続印刷ジョブ表示欄４３２ａにおいて選択された連続印刷ジョブをリストの先頭に並び替える（優先度を１にする）とともに、この選択された連続印刷ジョブと布帛名が同じ連続印刷ジョブを当該連続印刷ジョブに連続するように自動的に並び替える指示を入力するためのボタンである。
【００８５】
編集ボタン４３２ｇは、連続印刷ジョブ表示欄４３２ａにおいて選択された連続印刷ジョブで使用される布帛の布帛情報の設定を変更する指示を入力するためのボタンである。背景色ボタン４３２ｈは、連続印刷ジョブ表示欄４３２ａにおいて選択された連続印刷ジョブの背景色の変更を指示するためのボタンである。
キュー設定ボタン４３２ｉは、印刷キューに関する設定の入力を指示するためのボタンである。開始ボタン４３２ｊは、連続印刷ジョブ表示欄４３２ａに表示されている連続印刷ジョブに基づいて連続印刷を開始する指示を入力するためのボタンである。解除ボタン４３２ｋは、連続印刷ジョブ表示欄４３２ａにおいて選択された連続印刷ジョブを連続印刷ジョブリストＦ２から削除する指示を入力するためのボタンである。新規キュー作成ボタン４３２ｌは、指定された布帛の新規連続印刷ジョブリストの作成を指示するためのボタンである。
【００８６】
次いで、連続印刷ジョブ管理画面４３２において、操作部４２によりキュー設定ボタン４３２ｉが押下されたか否かが判断される（ステップＳ２２）。操作部４２によりキュー設定ボタン４３２ｉが押下されていないと判断されると（ステップＳ２２；ＮＯ）、処理はステップＳ２６に移行する。操作部４２によりキュー設定ボタン４３２ｉが押下されたと判断されると（ステップＳ２２；ＹＥＳ）、表示部４３にキュー設定画面４３３が表示される（ステップＳ２３）。
【００８７】
図１２に、キュー設定画面４３３の一例を示す。キュー設定画面４３３は、印刷キューに登録されている連続印刷ジョブを実行する際の動作を設定するための画面である。具体的には、「印刷ジョブを残す」、「最大印刷長を指定」、「印刷時間を指定」、「警告を通知」、「異種布帛連続印刷」のそれぞれの項目について、ＯＮ／ＯＦＦ、又は許可する／しないを設定することができる。
「印刷ジョブを残す」をＯＮにした場合、連続印刷終了後も連続印刷ジョブを印刷キューに残すことができる。「最大印刷長を指定」、「印刷時間を指定」をＯＮにした場合、指定した値を超えた時点で印刷を終了させることができる。
「警告を通知」をＯＮにした場合、詳細ボタン４３３ａを押下することで表示される通知設定画面４３４で設定された通知条件を満たしたときに、警告又はメールでオペレータ等に通知することができる。
「異種布帛連続印刷」を「許可する」にした場合、２種以上の布帛が連続印刷ジョブに混在する場合であっても通常通り印刷が行われる。「許可しない」にした場合、２種以上の布帛が連続印刷ジョブに混在した場合は開始ボタン４３２ｊが押せない状態となる。「印刷時選択」にした場合、開始ボタン４３２ｊが押下された際に、図１３に示す警告画面４３９が表示部４３にポップアップ表示され、印刷するか否かを印刷時にユーザが選択することができる。
【００８８】
図１４に、通知設定画面４３４の一例を示す。図１４に示すように、通知設定画面４３４には、「布帛残量」、「使用布帛量」、「印刷残り時間」、「印刷経過時間」のそれぞれの項目について、通知手段と通知条件を設定できるようになっている。
通知手段は、「なし」、「警告」、「メール」、「警告＋メール」の４種類のうちの何れかを設定することができる。「メール」又は「警告＋メール」が設定された場合は、メールアドレスの項目が入力可能となる。全項目について一括して同じメールアドレスに通知を行いたい場合は、チェックボックス４３４ａをチェックすることで、その下のエディットボックスに通知先メールアドレスを入力することが可能となる。
通知条件は、「布帛残量」では、布帛残量がこの通知条件で設定された値以下になった場合に通知が行われる。「使用布帛量」では、連続印刷を開始してから使用した布帛量がこの通知条件で設定した値以上となった場合に通知が行われる。「印刷残り時間」では、登録してある印刷キュー全ての印刷が終わるまでの時間が通知条件で設定した時間以下になった時点で通知が行われる。「印刷経過時間」では、連続印刷の開始からの印刷時間が通知条件で設定した時間以上になった場合に通知が行われる。
通知条件を満たした場合、通知手段に「メール」が含まれる場合は、プリンタ装置５０の現在のステータス及び通知条件を満たした項目の現在値がメールアドレス宛に送信される。通知手段に「警告」が含まれる場合は、画面上にプリンタ装置５０の現在のステータス及び通知条件を満たした項目の現在値がポップアップ表示される。
【００８９】
図１０Ａに戻り、操作部４２によりキュー設定画面４３３（通知設定画面４３４を含む）から入力が行われ、設定ボタン４３４ｂが押下されると（ステップＳ２４）、キュー設定画面４３３から入力された設定情報がキュー設定ファイルＦ３に記憶される（ステップＳ２５）。そして、処理はステップＳ２６に移行する。
【００９０】
ステップＳ２６においては、連続印刷ジョブ管理画面４３２において、操作部４２により新規キュー作成ボタン４３２ｌが押下されたか否かが判断される。操作部４２により新規キュー作成ボタン４３２ｌが押下されていないと判断されると（ステップＳ２６；ＮＯ）、処理はステップＳ３１に移行する。
【００９１】
連続印刷ジョブ管理画面４３２において、操作部４２により新規キュー作成ボタン４３２ｌが押下されたと判断されると（ステップＳ２６；ＹＥＳ）、表示部４３に新規キュー作成画面４３５が表示される（ステップＳ２７）。
【００９２】
図１５に、新規キュー作成画面４３５の一例を示す。図１５に示すように、新規キュー作成画面４３５には、布帛名入力欄４３５ａ、設定ボタン４３５ｂ、キャンセルボタン４３５ｃ等が設けられている。布帛名入力欄４３５ａからは、布帛管理ファイルＦ６に登録されている布帛の中からいずれかの布帛名を選択することが可能となっている。既に選択された布帛名を重複して選択することはできない。布帛名入力欄４３５ａからいずれかの布帛名が選択され、設定ボタン４３５ｂが押下されると、選択された布帛名の連続印刷ジョブのみを管理する新規連続印刷ジョブリストＦ２１が作成される。これを新規キューを作成するという。
【００９３】
新規キュー作成画面４３５において、操作部４２により新規キューの作成対象の布帛名が選択され、設定ボタン４３５ｂが押下されると（ステップＳ２８）、選択された布帛名の連続印刷ジョブのみを管理する新規キュー、即ち、選択された布帛名の連続印刷ジョブを登録するための新規連続印刷ジョブリストＦ２１が作成される（ステップＳ２９）。新規キューの作成により、選択された布帛名の連続印刷ジョブを他の布帛名の連続印刷ジョブとは区別して管理することができる。また、新規キューが作成されると、選択された布帛名の連続印刷ジョブを管理するための専用の画面である新規連続印刷ジョブ管理画面４４０が作成され（ステップＳ３０）、処理はステップＳ３１に移行する。
【００９４】
図１６に、新規連続印刷ジョブ管理画面４４０の一例を示す。図１６に示すように、新規連続印刷ジョブ管理画面４４０には、新規キュー作成対象となった連続印刷ジョブの布帛名が表示されたタブＴが設けられており、操作部４２によりこのタブＴを押下することで、表示部４３にこの新規連続印刷ジョブ管理画面４４０を表示させることができる。新規連続印刷ジョブ管理画面４４０には新規キュー作成ボタンが存在しないが、その他の連続印刷ジョブ管理画面４３２がもつ構成及び機能を全て有している。また、新規連続印刷ジョブ管理画面４４０には、削除ボタン４４０ａが設けられている。削除ボタン４４０ａが押下されると、制御部４１により、当該新規連続印刷ジョブ管理画面４４０及びこの新規連続印刷ジョブ管理画面４４０に対応する布帛名の新規連続印刷ジョブリストＦ２１が記憶部４５から削除される。
【００９５】
図１０ＡのステップＳ３１においては、操作部４２により連続印刷ジョブ管理画面４３２の連続印刷ジョブ表示欄４３２ａから連続印刷ジョブが選択されたか否かが判断される。操作部４２により連続印刷ジョブ表示欄４３２ａから連続印刷ジョブが選択されていないと判断されると（ステップＳ３１；ＮＯ）、処理はステップＳ４７に移行する。操作部４２により連続印刷ジョブが選択されたと判断されると（ステップＳ３１；ＹＥＳ）、処理はステップＳ３２に移行する。
【００９６】
ステップＳ３２においては、連続印刷ジョブ管理画面４３２において、操作部４２により背景色ボタン４３２ｈが押下されたか否かが判断される（ステップＳ３２）。操作部４２により背景色ボタン４３２ｈが押下されていないと判断されると（ステップＳ３２；ＮＯ）、処理はステップＳ３４に移行する。操作部４２により背景色ボタン４３２ｈが押下されたと判断されると（ステップＳ３２；ＹＥＳ）、背景色変更処理が実行される（ステップＳ３３）。
【００９７】
図１７は、ステップＳ３３において実行される背景色変更処理を示すフローチャートである。背景色変更処理は、制御部４１と記憶部４５に記憶されているプログラムとの協働により実行される。
【００９８】
まず、選択された連続印刷ジョブが１つであるか否かが判断される（ステップＳ３０１）。選択された連続印刷ジョブが１つではないと判断されると（ステップＳ３０１；ＮＯ）、処理は図１０ＢのステップＳ３４に移行する。
選択された連続印刷ジョブが１つであると判断されると（ステップＳ３０１；ＹＥＳ）、表示部４３に背景色変更画面４３８が表示される（ステップＳ３０２）。
【００９９】
図１８に、背景色変更画面４３８の一例を示す。
図１８に示すように、背景色変更画面４３８には、一括／単独の選択ボタン４３８ａ、
ジョブ名表示欄４３８ｂ、布帛名表示欄４３８ｃ、背景色入力欄４３８ｄ、設定ボタン４３８ｆ、キャンセルボタン４３８ｅ等が設けられている。
一括／単独の選択ボタン４３８ａは、同一の布帛名をもつ連続印刷ジョブの背景色を一括して変更するか、選択された連続印刷ジョブの背景色のみを選択するかを選択するためのボタンである。
ジョブ名表示欄４３８ｂは、背景色の変更対象の連続印刷ジョブのジョブ名を表示する欄である。布帛名表示欄４３８ｃは、背景色の変更対象の連続印刷ジョブの布帛名を表示する欄である。
背景色入力欄４３８ｄは、Ｒ、Ｇ、Ｂのそれぞれを０〜２５５の範囲の値で設定することで背景色を入力するための欄である。
【０１００】
操作部４２により背景色変更画面４３８から変更後の背景色等が入力され、設定ボタン４３８ｆが押下されると（ステップＳ３０３）、背景色変更画面４３８において背景色の一括変更が選択されたか否かが判断される（ステップＳ３０４）。背景色の一括変更が選択されたと判断されると（ステップＳ３０４；ＹＥＳ）、連続印刷ジョブリストＦ２において、選択された連続印刷ジョブの布帛名と同一の布帛名をもつ連続印刷ジョブの検索が行なわれ、選択された連続印刷ジョブの布帛名と同一の布帛名をもつ連続印刷ジョブが存在するか否かが判断される（ステップＳ３０５）。選択された連続印刷ジョブの布帛名と同一の布帛名をもつ連続印刷ジョブが存在すると判断されると（ステップＳ３０５；ＹＥＳ）、連続印刷ジョブリストＦ２において、選択された連続印刷ジョブ及びこれと同一の布帛名をもつ全ての連続印刷ジョブの背景色が入力された背景色に変更され（ステップＳ３０６）、処理は図１０ＢのステップＳ３４に移行する。
【０１０１】
一方、背景色の一括変更が選択されていないと判断された場合（ステップＳ３０４；ＮＯ）、又は、選択された連続印刷ジョブと布帛名が同一の連続印刷ジョブが連続印刷ジョブリストＦ２に存在しないと判断された場合（ステップＳ３０５；ＮＯ）、連続印刷ジョブリストＦ２において、選択された連続印刷ジョブの背景色が入力された背景色に変更され（ステップＳ３０７）、処理は図１０ＢのステップＳ３４に移行する。
【０１０２】
ステップＳ３４においては、選択された連続印刷ジョブが実行中であるか否かが判断される。選択された連続印刷ジョブが実行中であると判断されると（ステップＳ３４；ＹＥＳ）、処理はステップＳ４７に移行する。選択された連続印刷ジョブが実行中ではないと判断されると（ステップＳ３４；ＮＯ）、並び替えに関するボタン群（先頭へボタン４３２ｂ、アップボタン４３２ｃ、ダウンボタン４３２ｄ、最後尾へボタン４３２ｅ、並び替えボタン４３２ｆ）の制御処理が行われる（ステップＳ３５）。
【０１０３】
図１９に、ステップＳ３５において実行される並び替えボタン群制御処理のフローチャートを示す。並び替えボタン群制御処理は、制御部４１と記憶部４５に記憶されているプログラムとの協働により実行される。
【０１０４】
まず、連続印刷ジョブが一つのみ選択されているか否かが判断される（ステップＳ１０１）。連続印刷ジョブが一つのみ選択されていると判断されると（ステップＳ１０１；ＹＥＳ）、連続印刷ジョブリストＦ２に連続印刷ジョブが２件以上登録されているか否かが判断される（ステップＳ１０２）。連続印刷ジョブリストＦ２に連続印刷ジョブが２件以上登録されていると判断されると（ステップＳ１０２；ＹＥＳ）、並び替えに関するボタン群が使用可能に制御され（ステップＳ１０３）、処理は図１０ＢのステップＳ３６に移行する。
【０１０５】
一方、選択された連続印刷ジョブが一つのみでないと判断された場合（ステップＳ１０１；ＮＯ）、又は、連続印刷ジョブリストＦ２に連続印刷ジョブが２件以上登録されていないと判断された場合（ステップＳ１０２；ＮＯ）、並び替えが不可能であると判断され、並び替えに関するボタン群の使用が不可に制御され（ステップＳ１０４）、処理は図１０ＢのステップＳ３６に移行する。
【０１０６】
図１０ＢのステップＳ３６においては、操作部４２により並び替えに関するボタン群のいずれかが押下されたか否かが判断される（ステップＳ３６）。操作部４２により並び替えに関するボタン群の何れも押下されていないと判断されると（ステップＳ３６；ＮＯ）、処理はステップＳ３８に移行する。並び替えに関するボタン群の何れかが押下されたと判断されると（ステップＳ３６；ＹＥＳ）、操作されたボタンに応じた並び替え処理が実行され（ステップＳ３７）、処理はステップＳ３８に移行する。連続印刷ジョブ表示欄４３２ａの表示は、並び替えに応じて更新される。
【０１０７】
ここで、先頭へボタン４３２ｂ、アップボタン４３２ｃ、ダウンボタン４３２ｄ、最後尾へボタン４３２ｅの何れかが押下された場合、押下されたボタンに応じた位置に、選択された連続印刷ジョブの順番が変更される。
先頭へボタン４３２ｂが押下された場合、連続印刷ジョブリストＦ２において、選択された連続印刷ジョブの優先度が１に変更され、選択された連続印刷ジョブがファイル（印刷キュー）の先頭に移動される。他の連続印刷ジョブは、優先度が一つずつ繰り下がる。
アップボタン４３２ｃが押下された場合、連続印刷ジョブリストＦ２において、選択された連続印刷ジョブとそれより一つ上の優先度の連続印刷ジョブの入れ替えが行われる。
ダウンボタン４３２ｄが押下された場合、連続印刷ジョブリストＦ２において、選択された連続印刷ジョブとそれより一つ下の優先度の連続印刷ジョブの入れ替えが行われる。
最後尾へボタン４３２ｅが押下された場合、連続印刷ジョブリストＦ２において、選択された連続印刷ジョブの優先度が最後尾（現在の登録数の番号）に変更され、選択された連続印刷ジョブがファイル（印刷キュー）の最後尾に移動される。他の連続印刷ジョブは、優先度が一つずつ繰り上がる。
【０１０８】
並び替えボタン４３２ｆが押下されると、自動並び替え処理（図２０参照）が実行される。
図２０に、並び替えボタン４３２ｆが押下された際に実行される自動並び替え処理のフローチャートを示す。自動並び替え処理は、制御部４１と記憶部４５に記憶されているプログラムとの協働により実行される。
【０１０９】
まず、選択された連続印刷ジョブが印刷キューの先頭（優先度１）に移動される（ステップＳ２０１）。
次いで、カウンタｎ（変換前カウンタｎ）に初期値２が、カウンタｍ（変換後カウンタｍ）に初期値２が設定される（ステップＳ２０２）。
【０１１０】
次いで、連続印刷ジョブリストＦ２において、優先度ｎの連続印刷ジョブの布帛名が選択された連続印刷ジョブの布帛名と一致するか否かが判断される（ステップＳ２０３）。優先度ｎの連続印刷ジョブの布帛名が選択された連続印刷ジョブの布帛名と一致すると判断されると（ステップＳ２０３；ＹＥＳ）、この優先度ｎの連続印刷ジョブの並び替え後の優先度がｍに設定される（ステップＳ２０４）。変換前の優先度と変換後の優先度は対応付けされて制御部４１のＲＡＭに記憶される。そして、カウンタｍに１が加算され（ステップＳ２０５）、カウンタｎに１が加算され（ステップＳ２０６）、処理はステップＳ２０７に移行する。
【０１１１】
一方、優先度ｎの連続印刷ジョブの布帛名が選択された連続印刷ジョブの布帛名と一致していないと判断されると（ステップＳ２０３；ＮＯ）、カウンタｎに１が加算され（ステップＳ２０６）、処理はステップＳ２０７に移行する。
【０１１２】
ステップＳ２０７においては、カウンタｎの値が連続印刷ジョブリストＦ２の連続印刷ジョブの数を超えているか否かが判断される（ステップＳ２０７）。カウンタｎの値が連続印刷ジョブの数を超えていないと判断されると（ステップＳ２０７；ＮＯ）、処理はステップＳ２０３に戻る。カウンタｎの値が連続印刷ジョブの数を超えたと判断されると（ステップＳ２０７；ＹＥＳ）、変換後の優先度が未だ設定されていない連続印刷ジョブに対し、優先度ｍ以降の優先度が割り当てられる（ステップＳ２０８）。割り当ては、現在の優先度が高いほうから順に行われる。そして、ＲＡＭに設定された変換後の優先度に基づいて、連続印刷ジョブリストＦ２内の連続印刷ジョブの並び替えが行われ（ステップＳ２０９）、処理は図１０ＢのステップＳ３８に移行する。
【０１１３】
図１０ＢのステップＳ３８においては、操作部４２により編集ボタン４３２ｇが押下されたか否かが判断される。操作部４２により編集ボタン４３２ｇが押下されていないと判断されると（ステップＳ３８；ＮＯ）、処理はステップＳ４２に移行する。
操作部４２により編集ボタン４３２ｇが押下されたと判断されると（ステップＳ３８；ＹＥＳ）、表示部４３に布帛編集画面４３６が表示される（ステップＳ３９）。
【０１１４】
図２１に、布帛編集画面４３６の一例を示す。図２１に示すように、布帛編集画面４３６には、一括／単独の選択ボタン４３６ａ、基本情報欄４３６ｂ、端部処理方法欄４３６ｃ、設定ボタン４３６ｄ、キャンセルボタン４３６ｅ等が設けられている。
一括／単独の選択ボタン４３６ａは、同一の布帛名をもつ連続印刷ジョブの布帛情報を一括して変更するか、選択された連続印刷ジョブの布帛情報のみを選択するかを選択するためのボタンである。
基本情報欄４３６ｂは、布帛名、布−ヘッド間距離、メモ等を入力するための欄である。
端部処理方法欄４３６ｃは、布帛に対する処理、例えば、繋ぎ目検知処理方法、印刷終了処理方法、後端検知時処理方法、巻取り機間紙処理方法等や、各処理におけるフィード量等を入力するための欄である。
【０１１５】
布帛編集画面４３６において、操作部４２により「一括」が選択され、基本情報欄４３６ｂ及び端部処理方法欄４３６ｃから変更する項目の内容が変更入力され、設定ボタン４３６ｄが押下されると、選択された連続印刷ジョブの布帛名と同一の布帛名を有する連続印刷ジョブ全ての布帛情報が変更される。
【０１１６】
布帛編集画面４３６において、操作部４２により「単独」が選択され、基本情報欄４３６ｂ及び端部処理方法欄４３６ｃから変更する項目の内容が変更入力され、設定ボタン４３６ｄが押下されると、選択された連続印刷ジョブの布帛情報が変更される。ただし、同一布帛名をもつ連続印刷ジョブが連続印刷ジョブリストＦ２に格納されている場合は、布帛名を変更する必要がある。同一布帛名は同一の布帛情報を持つことが前提となっているためである。そこで、選択されている連続印刷ジョブと同一布帛名をもつ連続印刷ジョブが連続印刷ジョブリストＦ２に格納されている場合は、図２２に示す布帛名変更画面４３７がポップアップ表示される。この布帛名変更画面４３７の布帛名入力欄４３７ａから新たな布帛名を入力し、設定ボタン４３７ｂを押下することで、布帛名を変更することができる。布帛名を変更することで、選択された連続印刷ジョブ単独で布帛に対するプリンタ装置５０の動作等を変更することができる。
【０１１７】
布帛編集画面４３６から操作部４２により布帛情報の変更内容が入力されると（ステップＳ４０）、入力された内容に応じて上記選択された布帛名の連続印刷ジョブの布帛情報が変更され（又は、新たな布帛名の布帛情報に変更され）（ステップＳ４１）、処理はステップＳ４２に移行する。
【０１１８】
図１０ＢのステップＳ４２においては、連続印刷ジョブ管理画面４３２において、操作部４２により解除ボタン４３２ｋが押下されたか否かが判断される（ステップＳ４２）。操作部４２により解除ボタン４３２ｋが押下されていないと判断されると（ステップＳ４２；ＮＯ）、処理はステップＳ４４に移行する。操作部４２により解除ボタン４３２ｋが押下されたと判断されると（ステップＳ４２；ＹＥＳ）、選択された連続印刷ジョブが連続印刷ジョブリストＦ２から削除され（ステップＳ４３）、処理はステップＳ４４に移行する。
【０１１９】
ステップＳ４４においては、連続印刷ジョブが実行中であるか否かが判断される。連続印刷ジョブが実行中であると判断されると（ステップＳ４４；ＹＥＳ）、処理はステップＳ４７に移行する。即ち、開始ボタン４３２ｊは無効状態となり、印刷開始が指示できない状態となる。連続印刷ジョブが実行中ではないと判断されると（ステップＳ４４；ＮＯ）、連続印刷ジョブ管理画面４３２において、操作部４２により開始ボタン４３２ｊが押下されたか否かが判断される。操作部４２により開始ボタン４３２ｊが押下されていないと判断されると（ステップＳ４５；ＮＯ）、処理はステップＳ４７に移行する。操作部４２により開始ボタン４３２ｊが押下されたと判断されると（ステップＳ４５；ＹＥＳ）、連続印刷処理が実行される（ステップＳ４６）。
【０１２０】
図２３に、開始ボタン４３２ｊが押下された際に実行される連続印刷処理のフローチャートを示す。連続印刷処理は、制御部４１と記憶部４５に記憶されているプログラムとの協働により実行される。
【０１２１】
まず、連続印刷ジョブリストＦ２に連続印刷ジョブが登録されているか否かが判断される（ステップＳ４０１）。連続印刷ジョブリストＦ２に連続印刷ジョブが登録されていないと判断されると（ステップＳ４０１；ＮＯ）、処理は図１０ＢのステップＳ４７に移行する。
連続印刷ジョブリストＦ２に連続印刷ジョブが登録されていると判断されると（ステップＳ４０１；ＹＥＳ）、連続印刷ジョブリストＦ２に互いに異なる（２種以上の）布帛名の連続印刷ジョブが混在しているか否かが判断される（ステップＳ４０２）。連続印刷ジョブリストＦに互いに異なる（２種以上の）布帛名の連続印刷ジョブが混在していると判断されると（ステップＳ４０２；ＹＥＳ）、キュー設定ファイルＦ３が読み出され、「異種布帛連続印刷」が許可されているか否かが判断される（ステップＳ４０３）。
【０１２２】
「異種布帛連続印刷」が許可されていると判断されると（ステップＳ４０３；ＹＥＳ）、処理はステップＳ４０７に移行する。「異種布帛連続印刷」が印刷時選択（警告表示）に設定されていると判断されると（ステップＳ４０３；ＮＯ、ステップＳ４０４；ＹＥＳ）、表示部４３に、警告画面４３９が表示される（ステップＳ４０５）。
図１３に、警告画面４３９の一例を示す。図１３に示すように、警告画面４３９は、２種以上の布帛を使用する連続印刷ジョブが混在している旨を警告するとともに、印刷を継続するか否かをユーザに選択させるための画面である。
【０１２３】
操作部４２により警告画面４３９から「はい」ボタン４３９ａが押下され、印刷を継続することが指示されると（ステップＳ４０６；ＹＥＳ）、処理はステップＳ４０７に移行する。操作部４２により警告画面４３９から「いいえ」ボタン４３９ｂが押下されると（ステップＳ４０６；ＮＯ）、連続印刷処理は終了し、処理は図１０ＢのステップＳ４７に移行する。「異種布帛連続印刷」が許可されていないと判断されると（ステップＳ４０４；ＮＯ）、処理は図１０ＢのステップＳ４７に移行する。
【０１２４】
ステップＳ４０７においては、連続印刷が開始される（ステップＳ４０７）。連続印刷開始時には、印刷経過時間、印刷残り時間の計時が開始される。また、印刷する優先度を示す変数Ｎ、変数ｉに初期値１が設定される。また、連続印刷ジョブ管理画面４３２に印刷中表示Ｐが表示される。
図２４に、印刷中表示Ｐが表示された連続印刷ジョブ管理画面４３２の一例を示す。図２４に示すように、印刷中表示Ｐには、現在連続印刷ジョブに基づく連続印刷を行っていることを示す「印刷中」の文字の他、残りの印刷キューの数、総搬送距離、総スキャン数等のステータス情報が表示される。
【０１２５】
次いで、プリンタ装置５０が印刷可能な状態であるか否かが判断される（ステップＳ４０８）。例えば、プリンタ装置５０が印刷待ち状態である場合は、プリンタ装置５０が印刷可能な状態であると判断される。プリンタ装置５０が印刷可能な状態ではないと判断されると（ステップＳ４０８；ＮＯ）、ｉ＞５であるか否かが判断される（ステップＳ４０９）。ｉ＞５ではないと判断されると（ステップＳ４０９；ＮＯ）所定時間待機される（ステップＳ４１０）。そして、ｉが１インクリメントされ（ステップＳ４１１）、処理はステップＳ４０８に戻る。ｉ＞５であると判断されると（ステップＳ４０９；ＹＥＳ）、連続印刷処理は終了し、処理は図１０ＢのステップＳ４７に移行する。
【０１２６】
プリンタ装置５０が印刷可能な状態であると判断されると（ステップＳ４０８；ＹＥＳ）、優先度Ｎの連続印刷ジョブ（及びこれに含まれる布帛情報）に基づいてプリンタ装置５０が制御され、プリンタ装置５０において当該連続印刷ジョブに基づいて印刷が行われる（連続印刷ジョブが実行される）（ステップＳ４１２）。
【０１２７】
なお、プリンタ装置５０での印刷中、制御部４１においては、布帛残量、使用布帛量、印刷残り時間、印刷経過時間等がカウントされ、キュー設定ファイルＦ３に設定されている各項目について、通知条件を満たしたか否かが判断される。通知条件を満たしたと判断されると、設定されている通知手段によりユーザに現在のプリンタステータス及び通知条件を満たした項目の現在値がユーザに通知される。即ち、通知手段にメールが含まれる場合には、現在のプリンタステータス及び通知条件を満たした項目の現在値を通知するための電子メールが作成され、設定されているメールアドレス宛に送信される。通知手段に警告が含まれる場合には、表示部４３に現在のプリンタステータス及び通知条件を満たした項目の現在値が所定時間ポップアップ表示される。また、印刷経過時間がキュー設定ファイルＦ３に記憶されている印刷時間を超えた場合、又は使用布帛量が最大印刷長を超えた場合、連続印刷処理が停止される。
【０１２８】
印刷が完了すると（ステップＳ４１３）、変数Ｎに１が加算され（ステップＳ４１４）、Ｎ＞連続印刷ジョブ数であるか否かが判断される（ステップＳ４１５）。Ｎ＞連続印刷ジョブではないと判断されると（ステップＳ４１５；ＮＯ）、処理はステップＳ４０８に戻り、優先度Ｎの連続印刷ジョブに基づき印刷が行われる。Ｎ＞連続印刷ジョブ数であると判断されると（ステップＳ４１５；ＹＥＳ）、キュー設定ファイルＦ３が参照され、印刷ジョブを残す設定がＯＮとなっているか否かが判断される（ステップＳ４１６）。印刷ジョブを残す設定がＯＦＦとなっていると判断されると（ステップＳ４１６；ＮＯ）、連続印刷ジョブリストＦ２から連続印刷ジョブが削除され（ステップＳ４１７）、連続印刷処理は終了する。印刷ジョブを残す設定がＯＮとなっていると判断されると（ステップＳ４１４；ＹＥＳ）、連続印刷ジョブリストＦ２からの連続印刷ジョブの削除は行われずに、連続印刷処理は終了する。そして、処理は図１０ＢのステップＳ４７に移行する。
【０１２９】
図１０ＢのステップＳ４７においては、操作部４２により他の画面への移行の指示が入力されたか否かが判断される（ステップＳ４７）。操作部４２により他の画面への移行の指示が入力されていないと判断されると（ステップＳ４７；ＮＯ）、処理はステップＳ２２に戻る。操作部４２により他の画面への移行の指示が入力されたと判断されると（ステップＳ４７；ＹＥＳ）、連続印刷ジョブ管理処理は終了する。
【０１３０】
なお、新規連続印刷ジョブ管理画面４４０から上述した削除ボタン４４０ａを除く各ボタンが押下されたときの処理対象は、当該画面４４０とともに作成された新規連続印刷ジョブリストＦ２１に格納されている連続印刷ジョブである。新規連続印刷ジョブ管理画面４４０から各ボタンが押下されたときの動作は、図１０ＡのステップＳ２６〜Ｓ３０の新規キューの作成ステップがないことを除き、上記説明した連続印刷ジョブ管理処理と同様である。
【０１３１】
以上説明したように、画像形成装置３０によれば、クライアント端末１０、２０から送信された印刷ジョブ情報に基づいて表示部４３に印刷ジョブ管理画面４３１を表示させ、印刷ジョブ管理画面４３１のジョブ一覧に表示された印刷ジョブの中から操作部４２により印刷対象として選択された印刷ジョブを実行してプリンタ装置５０に印刷を行わせる印刷ジョブ管理手段と、印刷ジョブ管理画面４３１に一覧表示された印刷ジョブの中から操作部４２により連続印刷の対象として選択された印刷ジョブを連続印刷ジョブリストに登録し、当該連続印刷ジョブリストに登録された連続印刷ジョブを順次実行してプリンタ装置５０に連続印刷を行わせる連続印刷ジョブ管理手段と、を有する。
【０１３２】
従って、個別に印刷を実行する印刷ジョブと、複数の連続印刷を行う連続印刷ジョブを別々に管理するので、通常の印刷ジョブに影響を与えることなく連続印刷を行うことが可能となる。また、登録後に連続印刷ジョブの有する情報の変更を容易にし、オペレータの作業効率を向上させることが可能となる。
【０１３３】
また、連続印刷ジョブ管理画面４３２から編集ボタン４３２ｇが押下されると、連続印刷ジョブリストに登録された連続印刷ジョブに設定されている布帛情報を布帛編集画面４３６から変更することができるので、連続印刷ジョブリストに登録した後で連続印刷ジョブの布帛情報の変更が必要となったときに容易に変更することが可能となり、利便性が向上する。また、布帛編集画面４３６には一括／単独の選択ボタンが設けられ、「一括」が選択された場合には連続印刷ジョブリストに登録された同名の複数の連続印刷ジョブに設定されている布帛情報を一括して変更するので、同名の布帛情報の内容の編集が容易となる。
【０１３４】
また、連続印刷ジョブ管理画面４３２からキュー設定ボタン４３２ｉが押下されると、連続印刷開始時に２種以上の布帛の連続印刷ジョブが連続印刷ジョブリストに登録されている場合に印刷を許可する否か、又は警告を出すかを予め設定しておくことができるので、使い勝手のよい画像形成装置を提供することができる。
【０１３５】
また、連続印刷ジョブ管理画面４３２から並び替えボタン４３２ｆが押下されると、連続印刷ジョブリストに登録された連続印刷ジョブのうち、操作部４２により選択されたジョブを印刷順序の１番とし、当該連続印刷ジョブと同じ布帛情報が設定されている連続印刷ジョブの印刷順序を当該連続印刷ジョブに連続するように自動的に並び替えるので、布帛の着脱が不要な同じ布帛を使用する連続印刷ジョブを連続的に印刷することが容易に可能となる。
【０１３６】
また、連続印刷ジョブ管理画面４３２から背景色ボタン４３２ｈが押下されると、操作部４２により選択された連続印刷ジョブに含まれる背景色を変更することができるので、連続印刷ジョブに登録した後で容易に背景色を変更することが可能となる。また、一括／単独の選択ボタン４３６ａの「一括」を押下すると、選択された連続印刷ジョブと同じ布帛情報が設定されている全ての連続印刷ジョブの背景色を一括して変更するので、同じ布帛情報が設定されている複数の連続印刷ジョブについての背景色の変更が容易となる。これにより、オペレータが布帛別でジョブを認識しやすくなる。
【０１３７】
また、連続印刷ジョブ管理画面４３２において、連続印刷ジョブリストに登録された連続印刷ジョブは印刷中でない場合に登録を削除することができるので、無駄な印刷が行われることを回避することが可能となる。
【０１３８】
また、連続印刷ジョブ管理画面４３２においてキュー設定ボタン４３２ｉが押下されると、プリンタ装置５０の現在のステータスと、布帛の使用状況等の現在値とを通知するための通知条件及び通知先のメールアドレスを設定することが可能となり、印刷中において、この設定された通知条件を満たしたときに、設定されたメールアドレスにプリンタ装置５０の現在のステータス及び布帛の使用状況等の現在値を通知するための電子メールが送信されるので、ユーザはプリンタ装置５０から離れた位置にいてもプリンタ装置５０が通知条件の状態となったことを知ることができる。
【０１３９】
また、連続印刷ジョブ管理画面４３２は、印刷ジョブの実行中に開始ボタン４３２ｊが押下された場合であっても連続印刷の開始を受け付け、プリンタ装置５０が印刷中の状態から印刷可能な状態に遷移したときに連続印刷を開始するので、ユーザは、印刷ジョブの終了を待たずに連続印刷ジョブの開始を指示することが可能となる。なお、印刷中の印刷ジョブと連続印刷ジョブの布帛名が異なる場合はその旨を警告するポップアップ画面が表示部４３に表示される。
【０１４０】
また、連続印刷ジョブ管理画面４３２は、新規キュー作成ボタン４３２ｌが押下されると、指定された布帛情報が設定された連続印刷ジョブを他の連続印刷ジョブとは別個に登録するための新規の連続印刷ジョブリストを作成し、印刷ジョブ管理画面４３１に表示されたジョブ一覧から操作部４２により新たに選択された連続印刷対象の印刷ジョブに指定された布帛情報が設定されている場合、当該連続印刷対象の印刷ジョブを作成された新規の連続印刷ジョブリストに登録する。従って、布帛毎に連続印刷ジョブを管理することが可能となる。
【０１４１】
その他、連続印刷ジョブ管理画面４３２からの操作に応じて、連続印刷ジョブリストに登録された連続印刷ジョブの印刷順序を変更する機能、連続印刷ジョブリストに登録された連続印刷ジョブに基づく印刷の完了後、当該連続印刷ジョブを削除するか否かを選択する機能、最大印刷長を設定し、その最大印刷長に達するまでプリンタ装置５０に連続印刷ジョブに基づく連続印刷を行わせる機能、印刷時間を設定し、その印刷時間に達するまでプリンタ装置５０に登録された連続印刷ジョブに基づく連続印刷を行わせる機能、印刷に使用可能な布帛の残量が予め定められた設定値以下となった場合に警告を出力する機能等を実現することができるので、使い勝手のよい画像形成装置を提供することができる。
【０１４２】
なお、上記実施の形態における記述内容は、本発明の好適な一例であり、これに限定されるものではない。
【０１４３】
例えば、上記実施の形態においては、記録媒体を布帛とした画像形成装置に本発明を適用した場合を例にとり説明したが、これに限定されず、例えば、記録媒体を用紙とする画像形成装置に本発明を適用してもよい。
【０１４４】
また、例えば、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【０１４５】
その他、画像形成システム１００を構成する各装置の細部構成及び細部動作に関しても、発明の趣旨を逸脱することのない範囲で適宜変更可能である。
【符号の説明】
【０１４６】
１０      クライアント端末
１１      制御部
１２      操作部
１３      表示部
１４      通信部
１５      記憶部
１６      バス
２０      クライアント端末
３０      画像形成装置
３１      輸送ユニット
３２      スキャンユニット
３３      インクラック
４０      サーバ装置
４１      制御部
４２      操作部
４３      表示部
４４      通信部
４５      記憶部
４６      ＵＳＢデバイス
４７      ＰＣＩデバイス
４８      バス
５０      プリンタ装置
１００    画像形成システム
１５１    ＲＩＰプログラム
３１１    搬送ベルト
３２１    キャリッジレール
３２２    キャリッジ
３３１    インクタンク
４３１    印刷ジョブ管理画面
４３２    連続印刷ジョブ管理画面
４３２ａ  連続印刷ジョブ表示欄
４３２ｂ  先頭へボタン
４３２ｃ  アップボタン
４３２ｄ  ダウンボタン
４３２ｅ  最後尾へボタン
４３２ｆ  並び替えボタン
４３２ｇ  編集ボタン
４３２ｈ  背景色ボタン
４３２ｉ  キュー設定ボタン
４３２ｊ  開始ボタン
４３２ｋ  解除ボタン
４３２ｌ  新規キュー作成ボタン
４３３    キュー設定画面
４３４    通知設定画面
４３５    新規キュー作成画面
４３６    布帛編集画面
４３７    布帛名変更画面
４３８    背景色変更画面
４３９    警告画面
４４０    新規連続印刷ジョブ管理画面
ＮＴ      通信ネットワーク
【図１】
0005482632.tif 000002
【図２】
0005482632.tif 000003
【図３】
0005482632.tif 000004
【図４】
0005482632.tif 000005
【図５】
0005482632.tif 000006
【図６】
0005482632.tif 000007
【図７】
0005482632.tif 000008
【図８Ａ】
0005482632.tif 000009
【図８Ｂ】
0005482632.tif 000010
【図９】
0005482632.tif 000011
【図１０Ａ】
0005482632.tif 000012
【図１０Ｂ】
0005482632.tif 000013
【図１１】
0005482632.tif 000014
【図１２】
0005482632.tif 000015
【図１３】
0005482632.tif 000016
【図１４】
0005482632.tif 000017
【図１５】
0005482632.tif 000018
【図１６】
0005482632.tif 000019
【図１７】
0005482632.tif 000020
【図１８】
0005482632.tif 000021
【図１９】
0005482632.tif 000022
【図２０】
0005482632.tif 000023
【図２１】
0005482632.tif 000024
【図２２】
0005482632.tif 000025
【図２３】
0005482632.tif 000026
【図２４】
0005482632.tif 000027